【手続補正書】
【提出日】平成20年8月11日(2008.8.11)
【手続補正１】
【補正対象書類名】明細書
【補正対象項目名】特許請求の範囲
【補正方法】変更
【補正の内容】
【特許請求の範囲】
【請求項１】  変化する動作条件の下で低減されたひずみを伴う増幅された信号を生成する方法であって、
特定の時刻または時間周期における動作周波数の周波数スペクトラムの複数の検出された振幅の少なくとも１つの検出された振幅に応じて、前記動作周波数帯域内で、少なくとも１つの成分を調節することを含み、前記振幅は、
検出パス上の検出ポイントにおける前記動作周波数帯域のレプリカを得、
前記動作周波数帯域のサンプルをデジタル値へ変換し、そして、
前記動作周波数帯域のデジタル表現を生成するために前記デジタル値を使ってフーリエ変換を実行し、その結果前記動作周波数帯域の前記複数の検出された振幅を生成することによって特徴づけられる方法。
【請求項２】  増幅されるべき信号を主信号パス（１６）上とフィードフォワードパス（１８）上へ分割し、
前記主信号パス（１６）上のひずみを伴う増幅された信号を生成するために、前記主信号パス（１６）上の前記信号を増幅し、
結合パス（３０）上の前記ひずみを伴う前記増幅された信号のレプリカを得るために、前記ひずみを伴う前記増幅された信号をサンプリングし、そして、
前記フィードフォワードパス（１８）上の前記ひずみを生成するために、前記結合パス（３０）上の前記ひずみ及び前記増幅された信号の前記レプリカと、前記フィードフォワードパス（１８）上の前記信号を結合させることを含み、
前記信号の振動数帯域内の前記少なくとも１つの成分を調節することは、検出ポイントにおいて、前記周波数スペクトラム表現の少なくとも１つの振幅に応じて生成される制御信号により実行されることを特徴とする請求項１記載の方法。
【請求項３】  増幅されるべき信号を主信号パス（１６）上とフィードフォワードパス（１８）上へ分割し、
前記主信号パス（１６）上のひずみを伴う増幅された信号を生成するために、前記主信号パス（１６）上の前記信号を増幅し、
結合パス（３０）上の前記ひずみを伴う前記増幅された信号のレプリカを得るために、前記ひずみを伴う前記増幅された信号をサンプリングし、
前記フィードフォワードパス（１８）上の前記ひずみを生成するために、前記結合パス（３０）上の前記ひずみ及び前記増幅された信号の前記レプリカと、前記フィードフォワードパス（１８）上の前記信号を結合させ、
前記フィードフォワードパス（１８）上の前記ひずみの振幅および／または位相を調節するために、ゲイン回路および／または位相回路（１０２）へ前記フィードフォワードパス上の前記ひずみを適用し、そして、
前記主信号パス上の低減されたひずみを伴う増幅された信号を出力するために、前記主信号パス（１６）上の前記ひずみ及び前記増幅された信号と、前記フィードフォワードパス（１８）上の前記ひずみを結合させることを含み、
前記信号の周波数帯域内の少なくとも１つの成分を調節することは、検出ポイントにおける前記周波数スペクトラム表現の少なくとも１つの振幅に応じて生成される制御信号により実行されることを特徴とする請求項１記載の方法。
【請求項４】  増幅されるべき信号を主信号パス（１６）とフィードフォワードパス（１８）上へ分割し、
前記主信号パス（１６）上のひずみを伴う増幅された信号を生成するために、前記主信号パス（１６）上の前記信号を増幅し、
結合パス（３０）上の前記ひずみを伴う前記増幅された信号のレプリカを得るために、前記ひずみを伴う前記増幅された信号をサンプリングし、
前記フィードフォワードパス（１８）上の前記ひずみを生成するために、前記結合パス（３０）上の前記ひずみ及び前記増幅された信号の前記レプリカと、前記フィードフォワードパス（１８）上の前記信号を結合させ、
前記フィードフォワードパス（１８）上の前記ひずみの振幅および／または位相を調節するために、ゲイン回路および／または位相回路（１０２）へ前記フィードフォワードパス（１８）上の前記ひずみを適用し、
低減されたひずみを伴う増幅された信号を出力するために、前記主信号パス（１６）上の前記ひずみ及び前記増幅された信号と、前記フィードフォワードパス（１８）上の前記ひずみを結合させ、
前記のように、前記結合パス（３０）上の前記ひずみ及び前記増幅された信号の前記レプリカと前記フィードフォワードパス（１８）上の前記信号を結合させた後に、前記フィードフォワードパス（１８）上の第１の検出ポイントにおける前記動作周波数帯域をサンプリングし、
前記のように、前記主信号パス（１６）上の前記ひずみ及び前記増幅された信号と、前記フィードフォワードパス（１８）上の前記ひずみを結合させた後、前記主信号パス（１６）上の第２の検出ポイントにおける前記動作周波数帯域をサンプリングし、そして、
前記第１の検出ポイントと前記第２の検出ポイントにおける前記少なくとも１つの振幅に応じて調節するために、前記第１の検出ポイントと前記第２の検出ポイント間でスイッチを切り替えることを含むことを特徴とする請求項１記載の方法。
【請求項５】  前記調節は、前記周波数スペクトラム表現の前記複数の振幅の少なくとも１つに応じて、前記動作周波数帯域内の信号を相対的なゲイン調節および／または相対的な位相調節することを含むことを特徴とする請求項１記載の方法。
【請求項６】  前記調節は、前記周波数スペクトラム表現の前記複数の振幅に応じて、パス上の前記動作周波数帯域内の信号に関して、前記動作周波数帯域上でのイコライザゲイン応答および／または位相応答を変更することを含むことを特徴とする請求項１記載の方法。
【請求項７】  前記調節は、前記周波数スペクトラム表現の前記複数の振幅に応じて、パス上の前記動作周波数帯域内の信号に関して、前記動作周波数帯域上でのイコライザ遅延応答を変更することを含むことを特徴とする請求項１記載の方法。
【請求項８】  動作周波数帯域を受信するように構成される検出パス（１０６、１１６、１２２）と、
前記検出パス上で前記動作周波数帯域を受信し、特定の時刻または時間において前記動作周波数帯域の周波数スペクトラムの複数の振幅を生成し、前記複数の振幅の少なくとも１つに応じて前記動作周波数帯域の調節を提供するように構成される処理回路（８２）とを含み、
前記振幅は、前記動作周波数帯域のデジタル表現を生成するために、前記動作周波数帯域のサンプルをデジタル値へ変換し、前記デジタル値を使ってフーリエ変換を実行することにより生成されることを特徴とする増幅ひずみ低減システムで、前記システムはさらに、
増幅されるべき信号を受信し、主信号パス（１６）とフィードフォワードパス（１８）上へ、前記動作周波数帯域内の前記信号のレプリカを提供するように構成される第１のスプリッタ（１４）、
前記主信号パス（１６）上のひずみを伴う増幅された信号を生成するために、前記主信号パス上の前記信号を増幅するように構成される前記主信号パス上の第１の増幅器（１２）、
前記ひずみを伴う前記増幅された信号のレプリカを結合パス（３０）上へ結合するように構成される第１のカプラ（２６）、
前記フィードフォワードパス（１８）上の前記ひずみを生成するために、前記増幅された信号の前記レプリカ及び前記結合パス（３０）上の前記ひずみと、前記フィードフォワードパス上の前記信号を結合させるように構成される第２のカプラ（２８）、
前記フィードフォワードパス（１８）上の前記第２のカプラ（２８）の後ろにあり、第１の検出ポイントから前記動作周波数帯域を受信するように構成される第１の検出パス（１１６）、
第１の検出ポイントにおける前記動作周波数帯域上の前記振幅の前記少なくとも１つに基づくゲイン調節および／または位相調節を提供するように構成される前記処理回路（８２）、
前記主信号パス（１６）上の低減したひずみを伴う増幅された信号を出力するために、前記主信号パス（１６）上の前記ひずみ及び前記増幅された信号と、前記フィードフォワードパス（１８）上の前記ひずみを結合させるように構成される第３のカプラ（４６）、
前記第３のカプラ（４６）の後ろにあり、第２の検出ポイントにおいて前記動作周波数帯域を受信するように構成される第２の検出パス（１２２）、
前記第２の検出ポイントにおける前記動作周波数帯域上の前記振幅に基づき、ゲイン調節および／または位相調節を提供するように構成される前記処理回路（８２）、及び、
前記第１の検出パス（１１６）と前記第２の検出パス（１２２）からの前記動作周波数帯域を受信し、前記第１の検出ポイントと前記第２の検出ポイントから前記動作周波数帯域を、前記第１の検出ポイントおよび前記第２の検出ポイントにおける前記振幅に応じて振幅および／または位相を調節するための前記処理回路（８２）へ提供するために、前記第１の検出パス（１１６）と前記第２の検出パス（１２２）間を切り替えるように構成されるスイッチ（１０８）を含むことを特徴とする。